(57)【特許請求の範囲】
【請求項１】
複数の送信データの送信状況を提示する送信状況提示装置であって、
送信手段と、
前記送信手段により順次送信される送信データそれぞれの送信状況を検知する送信制御手段と、
検知された全送信状況を同時に表すアイコンと、前記送信データが不達であった場合に不達を示す記号が付加される、前記送信データの内容を縮小したデータとを表示手段に表示する表示制御手段と
を備えることを特徴とする送信状況提示装置。
【請求項２】
前記表示制御手段は、表示対象とする送信データの個数と前記表示手段の表示領域の大きさとに応じて、前記送信データそれぞれを縮小表示させる
ことを特徴とする請求項１記載の送信状況提示装置。
【請求項３】
前記送信手段は、前記記憶手段に記憶されている全ての通信文について、一定の試行回数を超えるまでは、前記通信相手に完全に到達するまで前記送信を繰り返し、
前記送信制御手段は、前記全ての通信文のうち少なくとも一件について前記送信手段により繰り返し送信された回数が前記一定の試行回数に達した場合に、不達状態にあると判別し、
前記表示制御手段は、前記送信制御手段により不達状態にあると判別された場合に、その状態に対応する画像又は音声により当該状態を提示する
を特徴とする請求項２に記載の送信状況提示装置。
【請求項４】
前記送信状況提示装置は、さらに、
前記記憶手段に記憶された１件以上の通信文の内容を前記表示手段に表示する通信文表示手段と、
前記通信文表示手段により表示された通信文のうち、前記送信制御手段により不達状態と判別された通信文を特定する通信文特定手段と、
前記通信文特定手段により特定された通信文が不達状態にあることを明示する画像を、前記表示手段に表示された対応する通信文と関連する位置に表示させる不達画像表示手段と
を備えることを特徴とする請求項３記載の送信状況提示装置。
【請求項５】
前記送信制御手段は、さらに、
不達状態と判別された通信文について、不達状態となった通信上の原因を特定する不達原因特定部を備え、
前記不達画像表示手段は、前記表示手段に対し、前記画像に加えて前記原因を示すテキストを前記通信文と関連する位置に表示させること
を特徴とする請求項４記載の送信状況提示装置。
【請求項６】
前記記憶手段には、複数の通信相手に宛てた同一内容の通信文の集まりである同報通信文が記憶され、
前記通信文表示手段は、
前記同報通信文に対応する画像として複数の通信文の重なりを表現した親画面を前記表示手段に表示させる親画面表示部と、
前記親画面表示中に子画面表示操作を受け付ける受付部と、
前記操作を受け付けた場合に、その同報通信文を構成する個々の通信文の内容と通信相手を示す内容とを一覧表示した子画面を前記表示手段に表示させる子画面表示部とを備え、
前記不達画像表示手段は、前記子画面に表示された通信文について前記不達状態にあることを明示する画像及び前記原因を示すテキストを前記表示手段に表示させること
を特徴とする請求項５記載の送信状況提示装置。
【請求項７】
複数の送信データの送信状況を提示する送信状況提示方法であって、
送信ステップと、
前記送信ステップにより順次送信される送信データそれぞれの送信状況を検知する送信制御ステップと、
検知された全送信状況を同時に表すアイコンと、前記送信データが不達であった場合に不達を示す記号が付加される、前記送信データの内容を縮小したデータとを表示手段に表示する表示制御ステップと
を備えることを特徴とする送信状況提示方法。
【請求項８】
送信状況提示装置に用いられ複数の送信データの送信状況を提示するプログラムを記録したコンピュータ読み取り可能な記録媒体であって、
前記プログラムは、
送信ステップと、
前記送信ステップにより順次送信される送信データそれぞれの送信状況を検知する送信制御ステップと、
検知された全送信状況を同時に表すアイコンと、前記送信データが不達であった場合に不達を示す記号が付加される、前記送信データの内容を縮小したデータとを表示手段に表示する表示制御ステップと
を含むことを特徴とする記録媒体。
【請求項９】
送信状況提示装置に用いられ複数の送信データの送信状況を提示する制御プログラムであって、
送信ステップと、
前記送信ステップにより順次送信される送信データそれぞれの送信状況を検知する送信制御ステップと、
検知された全送信状況を同時に表すアイコンと、前記送信データが不達であった場合に不達を示す記号が付加される、前記送信データの内容を縮小したデータとを表示手段に表示する表示制御ステップと
を含むことを特徴とする制御プログラム。
【発明の詳細な説明】
【０００１】
【発明の属する技術分野】
本発明は、携帯型通信装置において、ファクシミリや電子メール等の送信状況及び送信結果の提示機能を有する装置に関する。
【０００２】
【従来の技術】
ファクシミリや電子メール等（以下「ＦＡＸ等」という。）を送受信する電子メールシステムにおいて、その送信状況や送信結果を確認する方法として、特開平５−３７５５３号公報記載の「電子メールシステムにおける送信状況表示方法」がある。これは、送信データ毎に「送信待ち」、「送信中」、「送信完了」又は「不達」という送信状況の変化をリアルタイムで、テキスト表現によりディスプレイ装置に一覧表示させるものである。
【０００３】
一方、市販のＰＨＳ内蔵携帯情報端末装置の中には、アイコンによってＦＡＸ等の送信状況や送信結果を提示する機能を有するものがある。これは、装置全体としての送信状況を、送信すべきＦＡＸ等が存在しない状態又は全ての送信が完了した状態であることを示すアイコン（以下「送信完了アイコン」という。）と、送信がまだ完了していないＦＡＸ等が存在する状態（「送信待ち」、「送信中」、「不達」の何れかの状態）であることを示すアイコン（以下「送信未完了アイコン」という。）の２つのアイコンによって、逐次操作者に知らせるものである。また、送信未完了アイコンをペンタッチすることによって、送信対象となっている個々のＦＡＸ等の内容とその送信状況を確認することができる。
【０００４】
【発明が解決しようとする課題】
しかしながら、従来のテキスト表示による一覧表示の場合は、システム全体として「不達」となっている送信データの存否を一目で確認することは困難である。また、「不達」となったＦＡＸ等の内容そのものの表示はされないため、再送信すべきか否かを決定するためには、別途その内容を確認する必要がある。
【０００５】
一方、アイコンによる表示の場合では、装置全体として「送信待ち」、「送信中」及び「不達」の何れかの状態にあるＦＡＸ等、又はこれらの組み合わせの状態にある複数のＦＡＸ等が存在することを同一のアイコンで表示しているため、このアイコンを見ただけでは「不達」が確定したＦＡＸ等の存否がわからない。また、個々のＦＡＸ等の内容とそれらの送信状況を確認するためには、その都度、送信未完了アイコンをペンタッチしなければならず煩雑である。さらに、個々のＦＡＸ等の送信において「不達」となった場合でも、その原因がわからないため、適切な対応をするために時間を要する。
【０００６】
そこで、本発明は上記課題を鑑みてなされたものであり、ＣＲＴ等のディスプレイ装置に比べ表示可能な文字数等が制限される携帯型通信装置においても、ＦＡＸ等の送信状況を煩雑な操作をすることなく容易に操作者に提示できるような携帯型通信装置を提供することを目的とする。
【０００８】
上記目的を達成するために、本発明に係る携帯型通信装置は、電子メールを送信する携帯型通信装置であって、複数の電子メールについて、複数の電子メールのそれぞれに対応して指定された通信相手への送信を試みる送信手段と、複数の電子メールのうち、送信手段による送信に失敗した不達状態にある電子メールが存在するか否かを判別する不達判別手段と、不達判別手段により不達状態にある電子メールが存在すると判別された場合、不達状態にある電子メールが携帯型通信装置全体で少なくとも１つ存在することを一括して示す１つのアイコンを提示する提示手段とを備えることを特徴とする。
【００１１】
【発明の実施の形態】
以下では、本発明にかかる送信状況提示装置の実施形態について図面を参照しながら説明する。図１は、本発明にかかる送信状況提示装置が組み込まれた携帯型通信装置１００の外観図である。操作者は、画面１１０の内容を見ながら、ペン１２０によってデータ送信等の操作を行う。
【００１２】
（実施の形態１）
図２は、本発明の実施形態１にかかる送信状況提示装置２００の機能ブロック図を示す。
本装置２００は、操作者の指示により送信されることが確定している個々の送信データに対して、それらの送信状況を特定し、画像又は音声によって送信側の操作者に提示することを特徴とする。
【００１３】
送信データ記憶部２１０は、例えばＲＡＭ等で構成され、操作者の指示によって送信されることが確定した送信データ及びエラーコード等を記憶する。
送信制御部２２０は、本装置２００の送信機能全体を制御する部分であり、操作者の指示によって送信されることが確定された全ての送信データについて、送信を実施し、送信完了又は不達が確定するまでの制御を統括し、送信状況の管理を行う。
【００１４】
不達判別部２２１は、送信データについて、送信の失敗が確定、即ち「不達」状態となったか否かを判別する。
送信部２３０は、送信データを実際に送信する際の相互のデータのやりとりを制御する。
表示データ記憶部２４０は、例えばＲＡＭ等で実現され、表示部２６０に表示されるアイコンや送信データの内容等を記憶する。
【００１５】
表示制御部２５０は、送信制御部２２０が行う送信の制御及び送信状況の管理に基づいて、送信データの送信状況及び送信結果を表示部２６０、又は音声処理部２８０を介してスピーカ２８１に提示するための制御を行う。
表示部２６０は、例えばＬＣＤパネル等で実現されるものであり、送信データの送信状況及び送信結果等を表示する。
【００１６】
入力部２７０は、例えば感圧式のタブレット等で実現されるものであり、操作者は、主にペンによって入力を行う。
音声処理部２８０は、スピーカ２８１及びマイク２８２に接続され、音声信号の入出力とその増幅、及び指定されたテキストデータを音声データに変換する音声合成ＬＳＩ等を備えている。
【００１７】
図３は、本装置２００における表示例を示す。本図では、送信を予定しているが、送信データ記憶部２１０にはまだ格納されていない２件のＦＡＸの内容が画面に表示されている。更に、本装置２００の全体送信状況表示として、投函ポストアイコン３０３による表示と、テキストによる詳細な送信状況３０５が表示されている。なお、アイコン３０４は、上記詳細な送信状況をテキストによって提示させる場合に選択されるアイコンを示す。
【００１８】
ここで、「全体送信状況」とは、ある時点でのＦＡＸ等の送信状況を操作者に知らせるために、本装置２００全体で「送信待ちのメール」及び「不達のメール」の存否についての情報をいう。
図４(ａ)〜(ｄ)は、本装置２００における全体送信状況を４種類の投函ポストアイコンによって表示する場合の一例を示す。
図４(ａ)は、「送信待ちのメールなし、かつ、不達のメールなし」を、図４(ｂ)は、「送信待ちのメールあり、かつ、不達のメールなし」を、図４(ｃ)は、「送信待ちのメールなし、かつ、不達のメールあり」を、図４(ｄ)は、「送信待ちのメールあり、かつ、不達のメールあり」をそれぞれ表している。
【００１９】
図５(ａ)及び(ｂ)は、投函ポストアイコン３０３より更に詳細な全体送信状況、即ち、送信待ちのメールの件数及び不達のメールの件数を含めて、操作者に提供する場合の提示方法を選択するアイコンである。
図５(ａ)は、「テキスト」表示によって、上記の詳細な送信状況を提示させる場合に選択されるアイコンであり、図５(ｂ)は、「音声」によって、上記の提示をさせる場合に選択されるアイコンである。
【００２０】
従って、図３の場合は、投函ポストアイコン３０３の下部に「テキスト」による提示がされることを示すアイコン３０４が表示されているため、「送信待ちのメールが０件、不達のメールが０件あります。」という詳細な全体送信状況が、テキスト表示によって操作者に提示される。
【００２１】
以下では、本発明にかかる実施形態１の送信状況提示装置２００の動作について、図面を参照しながら詳細に説明する。
図６は、送信制御部２２０が実施する送信制御処理の流れを示すフローチャートである。
【００２２】
なお、便宜上、本装置２００においては、送信データ（全部でＮM個）毎に送信状況フラグＦS及び送信リトライカウンタＮRを定義することとし、送信状況フラグＦSは、「送信データなし（ＦS＝０）」、「送信待ち（ＦS＝１）」、「送信中（ＦS＝２）」、「送信完了（ＦS＝３）」及び「不達（ＦS＝４）」の５種類の送信状況又は送信結果を識別するものとする。
【００２３】
まず、本処理以外の処理において、操作者が入力部２７０より「送信」コマンドを押下すると、特定された送信データが送信データ記憶部２１０に格納され、送信状況フラグＦSの内容が「送信待ち（ＦS＝１）」に設定される。
この後本処理が開始され、送信制御部２２０は、初期設定として、送信データ番号ｎM（＝１）、送信待ちカウンタｎW（＝０）、不達カウンタｎF（＝０）及び送信リトライカウンタＮR（１）〜ＮR（ＮM）（＝０）の設定を行う（ステップＳ６０１）。
【００２４】
次に、送信制御部２２０は、ｎM番目の送信データの送信状況フラグＦSの内容が「送信待ち（ＦS＝１）」か否かを調べ（ステップＳ６０２）、「送信待ち」でない場合は、次の送信データについて処理を継続する（ステップＳ６１３）。一方、送信状況フラグの内容が「送信待ち」の場合は、送信待ちカウンタｎWの値を１増やし（ステップＳ６０３）、送信状況フラグＦSの内容を「送信中（＝２）」に変更後（ステップＳ６０４）、データ送信処理を実施する（ステップＳ６０５）。このデータ送信処理では、ｎM番目の送信データに指定されている送信先に送信を実施する。この際、送信が完了しなった場合は、「送信失敗」と判定される。
【００２５】
なお、データ送信処理（ステップＳ６０５）で「送信失敗」と判定された場合（ステップＳ６０６）、不達判別部２２１は、送信リトライカウンタＮRの値を１増やし（ステップＳ６０９）、送信リトライカウンタＮRの値が規定値（本実施形態では「５」）となった場合は（ステップＳ６１０）、送信状況フラグＦSの内容を「不達（ＦS＝４）」に設定し（ステップＳ６１１）、不達カウンタを１増やす（ステップＳ６１２）。
【００２６】
なお、最後の送信データについて上記処理を終えた場合は、最初の送信データから上記処理を繰り返し、操作者から「終了」コマンドの入力があった場合は、本処理を終了する（ステップＳ６１３〜ステップＳ６１６）。
【００２７】
図７は、図６におけるデータ送信処理（ステップＳ６０５）のフローチャートを示す。
最初に、送信制御部２２０は、操作者から指示されたＦＡＸ番号により送信先を特定し（ステップＳ７０１）、送信部２３０にＦＡＸ番号を渡す。
【００２８】
次に、送信部２３０は、上記ＦＡＸ番号に基づいて発呼する（ステップＳ７０２）。
これにより、送信部２３０は、交換機との間で情報のやりとりを行い、「該当するＦＡＸ番号がない」、「相手先の電源がＯＦＦ」、「相手が通話中」、「相手がオフフックしない」の場合を特定し、それぞれのエラーコードを設定する（ステップＳ７０３〜ステップＳ７１０）。
【００２９】
また、送信部２３０は、相手がオフフックした場合であっても、双方が非音声の端末であることの確認ができない場合、及び相手先が受信を中断した場合は、送信失敗と判断し、対応するエラーコードを設定する（ステップＳ７１１〜ステップＳ７１６）。
以上の何れにも該当しない場合、送信部２３０は、送信は完了したものと判断し（ステップＳ７１７）、本処理を終了する。
【００３０】
図８は、本装置２００において全体送信状況表示を行うための、表示制御部２５０が実施する表示制御処理の流れを示すフローチャートである。
なお、図６に示される送信制御処理において設定される送信待ちカウンタｎW及び不達カウンタｎFは、この表示制御処理においても使用される共有変数とする。
【００３１】
最初に、表示制御部２５０は、送信待ちカウンタｎW及び不達カウンタｎFの値に応じて（ステップＳ８０１、ステップＳ８０２）、図４(ａ)〜(ｄ)の何れかのアイコンを決定し、そのアイコンを表示部２６０に表示する（ステップＳ８０４〜ステップＳ８０７）。
【００３２】
次に、表示制御部２５０は、投函ポストアイコン３０３の下部のアイコンが、図５(ａ)に示す「テキスト」アイコンの場合は、「送信待ちのメールがｎW件、不達のメールがｎF件あります。」の表示を表示部２６０に表示する（ステップＳ８０９）。
【００３３】
一方、投函ポストアイコン３０３の下部のアイコンが、図５(ｂ)に示す「音声」アイコンの場合、送信制御部２５０は、「送信待ちのメールがｎW件、不達のメールがｎF件あります。」のテキストデータを音声処理部２８０に渡し、スピーカ２８１を介して操作者に提示する（ステップＳ８１０）。
最後に、全体送信状況表示を継続しない場合は、本処理を終了する（ステップＳ８１１）。
【００３４】
以上のように、異なる複数のアイコンを使用することによって、操作者は、装置全体の送信状況として、「不達」が確定した送信データの存否を容易に確認することが可能となる。
また、上記以外の画像やテキストによる表示、又は上記以外の音声によって送信状況を確認することも可能である。
【００３５】
さらに、本装置２００においては、投函ポストアイコンを４種類としたが、これ以外の送信状況を別のアイコンによって表示することも可能である。
さらにまた、本装置２００においては、感圧式タブレット及びペンによる入力形態としたが、これ以外のポインティングデバイスやキーボード等によってデータ等の入力が行えることはいうまでもない。
なお、上記のエラーコードについては、通信手順（ＦＡＸ通信、通信装置１００同士の独自通信、パソコン通信など）や、経由する無線基地局や交換機（ＰＨＳ、ディジタル携帯電話、アナログ回線など）の違いによって、使用できるコードが異なってくる。ここでは、その一例を示したものである。
【００３６】
（実施の形態２）
図９は、本発明の実施形態２にかかる送信状況提示装置９００の機能ブロック図を示す。本装置９００は、操作者の指示により送信されることが確定している個々の送信データに対して、個々の送信データの内容とこれらの送信状況又は送信結果がわかるような形態で画面に表示させることを特徴とする。
さらに本装置９００は、「不達」が確定した送信データに対し、その理由も併せて画面に表示させることを特徴とする。
【００３７】
本装置９００は、実施形態１の送信状況提示装置２００が備える送信データ記憶部２１０、送信部２３０、表示部２６０、入力部２７０及び音声処理部２８０に加えて、本実施形態に特有の送信制御部９１０、表示データ記憶部９２０及び表示制御部９３０を備える。
【００３８】
さらに、送信制御部９１０は不達原因特定部９１１を備え、表示データ記憶部９２０は縮小表示データ９２１を記憶し、表示制御部９３０は表示加工部９３１を備えている。
不達原因特定部９１１は、「不達」が確定した際の送信失敗原因をもって、不達原因の特定を行う。
縮小表示データ９２１は、後述する表示加工部９３１によって、オリジナルの画面の画像データ及びテキストデータに基づいて、規定の手順に従ってより小さい表示領域に表示を行うために新規に生成されるデータである。
【００３９】
以下では、表示データ記憶部９２０に記憶される縮小表示データ９２１を生成する一例を示す。
イラスト等のビットマップ形式の画像データにおいて、例えば、縮小画面がオリジナルの画面の２５％（縦及び横方向に各５０％の縮小）に縮小されている場合であれば、この画像データを１ビット毎に間引きし、データ量を２５％に減らして縮小表示データを生成することができる。
【００４０】
また、テキストデータにおいても同様に縮小する場合は、１６ビット×１６ビットの文字フォントで構成されている文章を、８ビット×８ビットの文字フォントで構成する文章に変更して縮小表示データを生成することができる。
さらに、縮小率を上げる必要がある場合は、例えばテキストデータの先頭から表示可能な文字数に対応するテキストデータのみを使用し、これ以降のテキストデータは切り捨て処理を行う。
【００４１】
表示加工部９３１は、縮小表示データの生成、及びデータ送信処理（ステップＳ６０５）において特定されたエラーコードに基づいて不達原因を表示するためのデータの生成を行う。
図１０は、エラーコードに対応する不達原因の表示例を示す。
図１１(ａ)及び(ｂ)は、本装置９００における表示例である。
【００４２】
図１１(ａ)は、投函ポストアイコン１１０１と、このアイコンをタッチして表示された投函中の５件のＦＡＸ（１件の同報通信のＦＡＸ１１０２を含む）の送信状況を示す。この図では、投函ポストアイコン１１０１より、本装置９００全体の送信状況として「送信待ちデータあり、かつ、不達データあり」であることが示され、個々のＦＡＸの送信状況として、２件の「不達」となったＦＡＸ１１０２及び１１０５と、１件の「送信中」のＦＡＸ１１０７と、及び２件の「送信待ち」のＦＡＸ１１０３及び１１０４があることが示され、前記投函ポストアイコン１１０１の示す全体送信状況と対応していることがわかる。
【００４３】
図１１(ｂ)は、上記図１１(ａ)の同報通信のＦＡＸ１１０２の画面を「タッチ」することによって、同報通信の送信先毎の送信状況が表示された様子を示す（ＦＡＸ１１０９〜１１１３）。この図では、１件の「不達」となったＦＡＸ１１０９と、４件の「送信待ち」のＦＡＸ１１１０〜１１１３があることが示され、投函ポストアイコン１１０８の示す全体送信状況と対応していることがわかる。
【００４４】
なお、図１１(ａ)及び(ｂ)に示されている個々のＦＡＸの送信状況は、リアルタイムで変化する。
以下では、本発明にかかる実施形態２の送信状況提示装置９００の動作について、図面を参照しながら詳細に説明する。
【００４５】
図１２は、本装置９００において、送信制御部９１０が実施する送信制御処理の流れを示すフローチャートである。本処理は、前記表示状況提示装置２００における送信制御処理とほぼ同じであるが、不達コードＦF(１)〜ＦF(ＮM)の初期設定（ステップＳ１２０１）、及び不達原因特定部９１１による不達コードの設定（ステップＳ１２０２）の処理が追加されている。
【００４６】
図１３は、本装置９００において個別の送信状況表示を行うための、表示制御部９３０が実施する表示制御処理の流れを示すフローチャートである。
最初に、表示制御部９３０は、表示させる最初の送信データを特定する（ステップＳ１３０１）。
次に、表示制御部９３０は、特定された送信データの送信状況フラグＦSの値が「１（送信待ち）」か否かを判定し（ステップＳ１３０２）、「１」でない場合は、次の送信データについて処理を継続する（ステップＳ１３１４）。
さらに、表示制御部９３０は、特定された送信データの送信状況フラグＦSの値が「３（送信完了）」で、かつ、特定された送信データの内容がまだ表示されている場合は、その表示を削除する（ステップＳ１３０３〜ステップＳ１３０５）。
【００４７】
ここで、表示制御部９３０は、送信データが同報通信か通常の通信かを識別し（ステップＳ１３０６）、表示加工部９３１によって生成された縮小表示データを用いて、それぞれの仕様で表示を行う（ステップＳ１３０７又はステップＳ１３０８）。
同報通信仕様で表示されている場合、表示制御部９３０は、操作者からの「タッチ」入力により、個々の送信データの送信状況の表示を行うための同報通信状況表示処理を実行する（ステップＳ１３１０）。
【００４８】
さらに、表示制御部９３０は、表示加工部９３１によって生成された表示データに基づいて、送信データの送信状況フラグＦSの値が「２（送信中）」の場合は反転表示、「４（送信失敗）」の場合は、「×」を付加し、かつ、この送信データの不達コードに基づいて不達原因の表示を行う（ステップＳ１３１２又はステップＳ１３１３）。
最後に、個別の送信状況表示を継続しない場合は、本処理を終了する（ステップＳ１３１４〜ステップＳ１３１７）。
【００４９】
図１４は、図１３における同報通信表示処理（ステップＳ１３１０）のフローチャートを示す。
なお、便宜上、本装置９００における同報通信の場合は、送信先（全部でＮB個）毎に送信状況フラグＦS及び送信リトライ数ＮRを定義することとし、送信状況フラグＦSは、「送信先未定（ＦS＝０）」、「送信待ち（ＦS＝１）」、「送信中（ＦS＝２）」、「送信完了（ＦS＝３）」及び「不達（ＦS＝４）」の５種類の送信状況又は送信結果を識別するものとする。
【００５０】
初めに、表示制御部９３０は、同報通信における最初の送信先を特定する（ステップＳ１４０１）。
次に、表示制御部９３０は、最初の送信先の送信状況フラグの値が「０（送信先未定）」の場合は（ステップＳ１４０２）、次の送信先の送信状況フラグについて処理を継続する（ステップＳ１４１０）。
【００５１】
送信状況フラグの値が「３（送信完了）」の場合で（ステップＳ１４０３）、かつ、送信データの内容が表示されたままになっている場合は、その表示を削除する（ステップＳ１４０５）。
一方、送信状況フラグの値が「３（送信完了）」以外の場合は、送信データの内容を縮小表示させる（ステップＳ１４０６）。
【００５２】
さらに、送信状況フラグＦSの値が「２（送信中）」、又は「４（不達）」の場合は、それぞれ反転表示、又は「×」を付加し、かつ、不達コードに基づいて不達原因の表示を行う（ステップＳ１４０８又はステップＳ１４０９）。
最後に、個別の送信状況表示を継続しない場合は、本処理を終了する（ステップ１４１０〜ステップ１４１３）。
【００５３】
以上のように、本発明にかかる送信状況提示装置９００によれば、同報通信の場合のように多数の送信先がある場合であっても、個々の送信データ毎に「送信待ち」又は「送信中」の送信状況、及び「送信完了」又は「不達」の送信結果を判断し、個々の送信データの内容とこれらの送信状況等をリアルタイムで画面に表示されるため、操作者は、誰宛の何の送信データが今どのような送信状況なのかを一目で確認することが可能となる。
【００５４】
さらに、送信データにおいて「不達」が確定した場合であっても、その理由を併せて画面に表示されるため、操作者は、このための迅速な対応を行うことが可能となる。
また、本装置９００においては、各送信データの送信状況を「送信待ち」又は「送信中」とし、送信結果を「送信完了」又は「不達」としたが、これら以外の送信状況等を追加し定義することも可能である。
【００５５】
さらにまた、本装置９００においては、縮小表示データ９２１を表示データ記憶部９２０に記憶する形態としたが、表示部２６０に表示する際に、その都度算出し生成しても良い。
なお、各送信データの送信状況等を区別する方法として、反転表示や「×」の付加表示を行ったが、これら以外の表示方法によって、上記の区別をすることも可能である。
【００５６】
最後に、本発明に係る送信状況提示装置のうち制御処理に関する部分は、汎用のコンピュータシステム上で実行されるプログラムとして実現できることは言うまでもない。従って、本発明に係る送信状況提示プログラムをＣＤ−ＲＯＭ等の記録媒体に格納し配布することは可能である。
【００５７】
【発明の効果】
以上の説明から明らかなように、本発明に係る携帯型通信装置は、電子メールを送信する携帯型通信装置であって、複数の電子メールについて、複数の電子メールのそれぞれに対応して指定された通信相手への送信を試みる送信手段と、複数の電子メールのうち、送信手段による送信に失敗した不達状態にある電子メールが存在するか否かを判別する不達判別手段と、不達判別手段により不達状態にある電子メールが存在すると判別された場合、不達状態にある電子メールが携帯型通信装置全体で少なくとも１つ存在することを一括して示す１つのアイコンを提示する提示手段とを備える。
また、本発明に係る送信状況提示装置は、携帯型通信装置に用いられ、送信すべき通信文の送信状況を提示する送信状況提示装置であって、１件以上の通信文を記憶する記憶手段と、前記記憶手段に記憶されている全ての通信文について、各通信文に対応して指定された通信相手に送信を実行する送信手段と、前記全ての通信文のうち少なくとも一件について、前記送信手段による送信が試みられたが前記通信相手に完全には到達しないことが確定した「不達」状態にあるか否かを判別する不達判別手段と、前記不達判別手段により「不達」状態にあると判別された場合に、その状態に対応する画像又は音声により当該状態を提示する不達提示手段とを備える。
【００５８】
これにより、送信すべき通信文のうち、通信相手に完全には到達していないことが確定した「不達」状態にある通信文が、少なくとも一件あるか否かを判別して画像又は音声によって提示されるため、操作者は、何の操作もすることなく「不達」状態にある通信文が存在することを容易に認識でき、このための迅速な対応が可能となる。
【００５９】
ここで、前記不達提示手段は、投函ポストを示す画像に「不達」状態となった通信文の様子を示す画像を付加した１つのアイコンにより、前記「不達」状態を提示することができる。
これにより、「不達」状態となった通信文の状況が、シンプルなアイコンによって表示されるため、操作者は、一目で「不達」状態となった通信文の存在を認識できる。
【００６０】
さらに、前記不達提示手段は、前記記憶手段に前記「不達」状態には至っていない送信を試みている過程の通信文が記憶されているか否かを、前記投函ポストの形状に違いを持たせることにより、前記「不達」状態を提示することができる。
これにより、「不達」状態には至っていない送信を試みている過程の通信文から「不達」状態となった場合を異なる画像で提示されるため、操作者は、上記の変化を一目で瞬時に認識することができる。
【００６１】
ここで、前記送信手段は、前記記憶手段に記憶されている全ての通信文について、一定の試行回数を超えるまでは、前記通信相手に完全に到達するまで前記送信を繰り返し、前記不達判別手段は、前記全ての通信文のうち少なくとも一件について前記送信手段により繰り返し送信された回数が前記一定の試行回数に達した場合に、前記「不達」状態にあると判別することができる。
これにより、一定の試行回数を超えるまでは、通信相手に完全に到達するまで送信を繰り返した後「不達」状態が確定されるため、操作者は、通信文の再送リトライ中においては、当該送信について注視することから解放され得る。
【００６２】
ここで、前記送信状況提示装置はさらに、前記記憶手段に記憶された１件以上の通信文の内容を画面に表示する通信文表示手段と、前記通信文表示手段により表示された通信文のうち、前記不達判別手段により「不達」状態と判別された通信文を特定する通信文特定手段と、前記通信文特定手段により特定された通信文が「不達」状態にあることを明示する画像を前記画面に表示された対応する通信文と関連する位置に表示する不達画像表示手段とを備える。
これにより、「不達」状態と判別された通信文の内容に、「不達」状態にあることを明示する画像が併せて表示されるため、操作者は、「不達」状態にある通信文を的確に特定することが可能となる。
【００６３】
ここで、前記送信状況判別手段はさらに、前記不達判別手段により「不達」状態と判別された通信文について、「不達」状態となった通信上の原因を特定する不達原因特定部を備え、前記不達画像表示手段は、前記画像に加えて前記原因を示すテキストを前記通信文と関連する位置に表示することができる。
これにより、「不達」状態となった通信上の原因を併せて画面に表示されるため、操作者は、適切な処理を迅速に行うことが可能となる。
【００６４】
ここで、前記記憶手段には、複数の通信相手に宛てた同一内容の通信文の集まりである同報通信文が記憶され、前記通信文表示手段は、前記同報通信文に対応する画像として複数の通信文の重なりを表現した親画面を表示する親画面表示部と、前記親画面表示中に子画面表示操作を受け付ける受付部と、前記操作を受け付けた場合に、その同報通信文を構成する個々の通信文の内容と通信相手を示す内容とを一覧表示した子画面を表示する子画面表示部とを備え、前記不達画像表示手段は、前記子画面に表示された通信文について前記「不達」状態にあることを明示する画像及び前記原因を示すテキストを表示することができる。
【００６５】
これにより、多数の通信相手を有する同報通信の場合であっても、個々の通信相手の通信状況が一覧表示されるため、操作者は、宛先毎の通信文の送信状況を容易に把握することが可能となる。
【図面の簡単な説明】
【図１】本発明に係る送信状況提示装置１００の外観図である。
【図２】本発明の実施形態１における送信状況提示装置２００の機能ブロック図である。
【図３】実施形態１における全体送信状況の表示例である。
【図４】  (ａ)は、実施形態１における全体送信状況の「送信待ちのメールなし、かつ、不達のメールなし」を示すアイコンの表示例である。
(ｂ)は、実施形態１における全体送信状況の「送信待ちのメールあり、かつ、不達のメールなし」を示すアイコンの表示例である。
(ｃ)は、実施形態１における全体送信状況の「送信待ちのメールなし、かつ、不達のメールあり」を示すアイコンの表示例である。
(ｄ)は、実施形態１における全体送信状況の「送信待ちのメールあり、かつ、不達のメールあり」を示すアイコンの表示例である。
【図５】  (ａ)は、実施形態１における全体送信状況をテキストで提示させるために指定するアイコン例である。
(ｂ)は、実施形態１における全体送信状況を音声で提示させるために指定するアイコン例である。
【図６】 実施形態１における送信制御処理の流れを示すフローチャートである。
【図７】図６におけるデータ送信処理サブルーチンのフローチャートである。
【図８】実施形態１における表示制御処理の流れを示すフローチャートである。
【図９】本発明の実施形態２における送信状況提示装置９００の機能ブロック図である。
【図１０】エラーコードに対応する不達原因の表示例である。
【図１１】実施形態２における不達原因の表示及び同報通信表示の一例である。
【図１２】実施形態２における送信制御処理の流れを示すフローチャートである。
【図１３】実施形態２における表示制御処理の流れを示すフローチャートである。
【図１４】図１３における同報通信表示処理サブルーチンのフローチャートである。
【符号の説明】
１００            携帯型通信装置
２００、９００    送信状況提示装置
１１０            画面
１２０            ペン
２１０            送信データ記憶部
２２０、９１０    送信制御部
２２１            不達判別部
２３０            送信部
２４０、９２０    表示データ記憶部
２５０、９３０    表示制御部
２６０            表示部
２７０            入力部
２８０            音声処理部
２８１            スピーカ
２８２            マイク
９１１            不達原因特定部
９２１            縮小表示データ
９３１            表示加工部
【図１】
0004213251.tif 000002
【図２】
0004213251.tif 000003
【図３】
0004213251.tif 000004
【図４】
0004213251.tif 000005
【図５】
0004213251.tif 000006
【図６】
0004213251.tif 000007
【図７】
0004213251.tif 000008
【図８】
0004213251.tif 000009
【図９】
0004213251.tif 000010
【図１０】
0004213251.tif 000011
【図１１】
0004213251.tif 000012
【図１２】
0004213251.tif 000013
【図１３】
0004213251.tif 000014
【図１４】
0004213251.tif 000015